(57)【要約】      （修正有）【課題】フード部材とノーズパッドとの交換を良好になすことができ、良好なかけ心地と外観を呈し、ドライアイに対しても有効なフード付き眼鏡類を提供する。【解決手段】レンズ１１と、レンズ１１を支持するフレーム２１とを備える。フレーム２１のリム２２の後方にフード部材３１が着脱可能に取り付けられる。このフード部材３１と交換してノーズパッド４１を着脱可能に取り付けることができる。このフレーム２１にはフレーム側係合部が設けられ、フード部材３１にはフード側係合部が設けられ、両係合部が着脱可能に係合する。ノーズパッド４１にはノーズパッド側係合部が設けられ、上記フレーム側係合部と係合する。フード部材４１の内側には、水分を保持する加湿部材が着脱可能に取り付けられる。【選択図】図１
0003152412.tif 000002
【実用新案登録請求の範囲】
【請求項１】
レンズと、上記レンズの周囲に配位されて上記レンズを支持するフレームとを備え、
上記レンズの周囲から着用者方向に伸びるフード部材とを備えたフード付き眼鏡類において、
フード部材と交換してフレームに取り付けられるノーズパッドを備え、
このフレームにはフレーム側係合部が設けられ、上記フード部材にはフード側係合部が設けられ、両係合部が係合することにより、上記フレームに上記フード部材が着脱可能に取り付けられ、
上記ノーズパッドにはノーズパッド側係合部が設けられ、
上記ノーズパッド側係合部が上記フレーム側係合部と係合することにより、上記フード部材が取り外された上記フレームに、上記ノーズパッドが着脱可能に取り付けられることを特徴とするフード付き眼鏡類。
【請求項２】
前記フード付き眼鏡類が、眼鏡、ファッション用サングラス、スポーツ用サングラス、スポーツ用ゴーグル、ドライアイ対策用眼鏡、花粉症対策用眼鏡、防塵用眼鏡、医療用眼鏡からなる群から選択された一種であり、
前記レンズは、左右２枚のレンズを備え、
前記フレームは、左右のレンズの全周に配位されレンズを支持する左右のリムと、この左右のリム同士を繋ぐブリッジとを備え、
前記フード部材は、上記リムよりも柔軟であり、上記左右のリムの着用者側に取り付けられる左右の筒状部と、この左右の筒状部同士を繋ぐと共に上記ブリッジの着用者側に配位される接続部とを備え、
前記ノーズパッドは、左右のノーズパッド本体と、この左右のノーズパッド本体同士を繋ぐと共に上記ブリッジの着用者側に配位される連結部とを備え、
上記左右のリムの目頭側に前記フレーム側係合部が設けられ、
上記左右の筒状部の目頭側に前記フード側係合部が設けられ、
上記左右のノーズパッド本体に前記ノーズパッド側係合部が設けられたことを特徴とする請求項１記載のフード付き眼鏡類。
【請求項３】
前記フード付き眼鏡類がドライアイ対策用眼鏡であり、
前記フレームは、前記レンズの全周に配位されるリムを備え、
前記フード部材は、前記リムの着用者側に取り付けられる筒状部を備え、
上記筒状部は、目尻側の前後方向の長さが、目頭側の前後方向の長さよりも長く、
水分を保持する加湿部材が上記筒状部の目頭側の内周面に着脱可能に取り付けられたことを特徴とする請求項１又は２記載のフード付き眼鏡類。
【請求項４】
前記フレームは、前記レンズの全周に配位されるリムを備え、
前記フード部材は、前記リムの着用者側に取り付けられる筒状部を備え、
着用者の鼻の左右に当接するパッド部が、上記筒状部の目頭側に一体に形成されたことを特徴とする請求項１〜３の何れかに記載のフード付き眼鏡類。
【考案の詳細な説明】
【技術分野】
【０００１】
本願考案は、眼鏡、ファッション用サングラス、スポーツ用サングラス、スポーツ用ゴーグル、ドライアイ対策用眼鏡、花粉症対策用眼鏡、防塵用眼鏡、医療用眼鏡などの目を保護するためのフードを備えた眼鏡類に関するものである。
【背景技術】
【０００２】
特許文献１や２に示されるように、花粉症等の対策として、眼鏡に対して、その後側（着用者側）に筒状のフード部材を着脱可能に設けることが提案されている。ところが、フード部材を付けた場合と、付けない場合とで、外観が異なることは勿論、かけ心地もことなるものとなってしまう。特に、ノーズパッドは、眼鏡のかけ心地に大きな影響を及ぼすものであるが、リムの目尻側に後方に突出して設けられている点で、同じくリムの後方に伸ばされて配位されるフード部材との関係を如何に調整するかが困難な問題となる。既存の眼鏡にフード部材を取り付ける場合には、ノーズパッドをそのまま利用することにより、眼鏡のかけ心地は維持できるかに思えるが、その分、フード部材側の形状に影響を及ぼし、眼鏡として極めて不自然な形状となってしまう（特許文献２第２図）。
【０００３】
また、近年は、ドライアイ対策に関しても提案がなされている。特許文献３は、眼鏡枠に形設された穴部に着脱自在に嵌合されるドライアイ眼鏡用加湿具であって、開口部を有し、かつその側壁の一部が開口部側に於て弾性を有する分割片となっている合成樹脂製器体内部に保水部材を収容した後、当該開口部に保水部材固定用枠体を着脱自在に嵌入せしめたことを特徴とするドライアイ眼鏡用加湿具を開示している。ところが、この提案は解放された眼鏡に取り付けられるものであり、加湿の目に対する効果が十分に行えないおそれがある。
【０００４】
【特許文献１】特許第４０９５８５４号公報
【特許文献２】特開２００５−１８１９２１号公報
【特許文献３】特許第４０５４４５２号公報
【考案の開示】
【考案が解決しようとする課題】
【０００５】
本願考案は、フード部材とノーズパッドの関係を見直すことによって、フード部材とノーズパッドとの交換を良好に実現する。さらに、フードを取り付けた場合にも、フードを外した場合にも、良好な描け心地と外観を呈することができるフード付き眼鏡類の提供を目的とする。
本願考案の他の目的は、ドライアイに対して有効なフード付き眼鏡類の提供を目的とする。
【課題を解決するための手段】
【０００６】
本願の請求項１に係る考案は、レンズと、上記レンズの周囲に配位されて上記レンズを支持するフレームとを備え、上記レンズの周囲から着用者方向に伸びるフード部材とを備えたフード付き眼鏡類において、フード部材と交換してフレームに取り付けられるノーズパッドを備え、このフレームにはフレーム側係合部が設けられ、上記フード部材にはフード側係合部が設けられ、両係合部が係合することにより、上記フレームに上記フード部材が着脱可能に取り付けられ、上記ノーズパッドにはノーズパッド側係合部が設けられ、上記ノーズパッド側係合部が上記フレーム側係合部と係合することにより、上記フード部材が取り外された上記フレームに、上記ノーズパッドが着脱可能に取り付けられることを特徴とするフード付き眼鏡類を提供する。
本願の請求項２に係る考案は、前記フード付き眼鏡類が、眼鏡、ファッション用サングラス、スポーツ用サングラス、スポーツ用ゴーグル、ドライアイ対策用眼鏡、花粉症対策用眼鏡、防塵用眼鏡、医療用眼鏡からなる群から選択された一種であり、前記レンズは、左右２枚のレンズを備え、前記フレームは、左右のレンズの全周に配位されレンズを支持する左右のリムと、この左右のリム同士を繋ぐブリッジとを備え、前記フード部材は、上記リムよりも柔軟であり、上記左右のリムの着用者側に取り付けられる左右の筒状部と、この左右の筒状部同士を繋ぐと共に上記ブリッジの着用者側に配位される接続部とを備え、前記ノーズパッドは、左右のノーズパッド本体と、この左右のノーズパッド本体同士を繋ぐと共に上記ブリッジの着用者側に配位される連結部とを備え、上記左右のリムの目頭側に前記フレーム側係合部が設けられ、上記左右の筒状部の目頭側に前記フード側係合部が設けられ、上記左右のノーズパッド本体に前記ノーズパッド側係合部が設けられたことを特徴とする請求項１記載のフード付き眼鏡類を提供する。
本願の請求項３に係る前記フード付き眼鏡類がドライアイ対策用眼鏡であり、前記フレームは、前記レンズの全周に配位されるリムを備え、前記フード部材は、前記リムの着用者側に取り付けられる筒状部を備え、上記筒状部は、目尻側の前後方向の長さが、目頭側の前後方向の長さよりも長く、水分を保持する加湿部材が上記筒状部の目頭側の内周面に着脱可能に取り付けられたことを特徴とする請求項１又は２記載のフード付き眼鏡類を提供する。
本願の請求項４に係る考案は、前記フレームは、前記レンズの全周に配位されるリムを備え、前記フード部材は、前記リムの着用者側に取り付けられる筒状部を備え、着用者の鼻の左右に当接するパッド部が、上記筒状部の目頭側に一体に形成されたことを特徴とする請求項１〜３の何れかに記載のフード付き眼鏡類を提供する。
【考案の効果】
【０００７】
本願考案は、フレームにはフレーム側係合部が設けられ、上記フード部材にはフード側係合部が設けられ、両係合部が係合することにより、上記フレームに上記フード部材が着脱可能に取り付けられ、上記ノーズパッドにはノーズパッド側係合部が設けられ、上記ノーズパッド側係合部が上記フレーム側係合部と係合することにより、上記フード部材が取り外された上記フレームに、上記ノーズパッドが着脱可能に取り付けられるものであり、フード部材とノーズパッドとの交換を良好に実現することができると同時に、フレーム側の構成をシンプルなものとすることができたフード付き眼鏡類を提供することができたものである。
また、前記フード部材は、上記フレームのリムよりも柔軟であり、上記左右のリムの着用者側に取り付けられる左右の筒状部と、この左右の筒状部同士を繋ぐと共に上記ブリッジの着用者側に配位される接続部とを備え、前記ノーズパッドは、左右のノーズパッド本体と、この左右のノーズパッド本体同士を繋ぐと共に上記ブリッジの着用者側に配位される連結部とを備えたものであるため、左右別々のレンズを有する眼鏡類にあっても、フレームと、フード部材と、ノーズパッドとの３点の部品にて構成されるものであり、交換作業時並びに保存時に紛失のおそれを少なくすることができる。
そして、上記左右のリムの目頭側に前記フレーム側係合部が設けられ、上記左右の筒状部の目頭側に前記フード側係合部が設けられ、上記左右のノーズパッド本体に前記ノーズパッド側係合部が設けられたものであるため、無理なく、前記フレーム側係合部を共用して、フード部材とノーズパッドとの交換が可能となる。
また、前記フード部材は、前記リムの着用者側に取り付けられる筒状部を備え、上記筒状部は、目尻側の前後方向の長さが、目頭側の前後方向の長さよりも長く、水分を保持する加湿部材が上記筒状部の目頭側の内周面に着脱可能に取り付けられたものであるため、ドライアイに対して有効なフード付き眼鏡類の提供が可能となったものである。
さらに、着用者の鼻の左右に当接するパッド部が、上記筒状部の目頭側に一体に形成されることにより、フードを取り付けた場合にも、フードを外した場合にも、良好な描け心地と外観を呈することができるフード付き眼鏡類を提供することができたものである。
よって、本願考案は、フードを取り付けた時には花粉症対策用などに、フードを外してノーズパッドを取り付けた時には通常の視力矯正用眼鏡やサングラス等として、またさらに、加湿部材を取り付けた時にはドライアイ対策用として、一つの眼鏡を２通り、３通りの用途に使用することができる多機能の眼鏡類を提供することができたものである。
【考案を実施するための最良の形態】
【０００８】
以下、図面に基づき本願考案の実施の形態を説明する。
図１（Ａ）は本願考案の実施の形態に係る眼鏡であってフード部材を取り付けた状態を示し、（Ｂ）は同眼鏡であってノーズパッドを取り付けた状態を示す。図２（Ａ）は同眼鏡のフレームの要部背面図であり、（Ｂ）は同眼鏡のノーズパッドの正面図であり、（Ｃ）は同ノーズパッドの側面図であり、（Ｄ）は同ノーズパッドの背面図である。図３（Ａ）は同眼鏡のフード部材の正面図であり、（Ｂ）は同フード部材の背面図である。
【０００９】
本願考案に係る眼鏡は、左右のレンズ１１と、このレンズ１１のを支持するフレーム２１とを備える。レンズ１１は、一般の眼鏡と同様、レンズ１１の周囲に配位されてこれを直接支持するリム２２と、リム２２の左右の目頭側同士を接続するブリッジ２３と、左右の目尻側に配位された智２４とを備え、この智２４にヒンジを介して回動可能に接続されたテンプル２５と、その先端に設けられたモダン２６とを備える。
【００１０】
このフレーム２１には、フード部材３１と、ノーズパッド４１とが交換可能に取り付けられる。図１（Ａ）はフード部材３１を取り付けた状態を示し、（Ｂ）はノーズパッド４１を取り付けた状態を示す。この交換のために、図２（Ａ）に示すように、フレーム２１には、左右のリム２２の目頭側の後方側にフレーム側第１係合部２７が設けられている。また、左右のリム２２の目尻側の後方側にはフレーム側第２係合部２８が設けられている。なお、本願において、後方側とは着用者側に近い方、前方側とは着用者から見て前方を言う。
このフレーム部は、硬質の合成樹脂製の他、金属製として実施することができる。
【００１１】
他方、ノーズパッド４１は、左右の硬質又は軟質の合成樹脂製のノーズパッド本体４２を左右に配位し、これらノーズパッド本体４２同士を連結部４３が接続したものである。ノーズパッド本体４２と連結部４３とは一体に形成することもできるが、別体に形成することもできる。このノーズパッド本体４２の前方側の面４６には、ノーズパッド側係合部４５が形成されている。この例では、前記のフレーム側第１係合部２７とフレーム側第２係合部２８とを凸部として形成し、この凸部が嵌入する凹部をノーズパッド側係合部４５として形成し、ノーズパッド側係合部４５を形成するノーズパッド本体４２を弾性の豊かな軟質の合成樹脂とし、フレーム側第１係合部２７及びフレーム側第２係合部２８を硬質の合成樹脂で形成し、ノーズパッド側係合部４５を弾性変形させつつ強制嵌合することにより、ノーズパッド４１の脱落を防止するものである。また、ノーズパッド４１の前方側の面４６を、全体に凹ませた凹溝状にし、リム２２の後方側の面と密着させることにより、より安定した保持が実現する。ノーズパッド側係合部４５とフード側第１係合部３５とは複数設けることもできるが、この実施の形態のように、１個のみを設けた場合には、断面長方形等にすることで、ノーズパッド本体４２が回転してしまわないようにすることが望ましい。
なお、これらの凹凸の形成は、フレーム２１側とノーズパッド４１側とで逆に配置することもできる。
【００１２】
連結部４３を設けることによって、ノーズパッド４１の脱着作業時に、ノーズパッド本体４２の片方を紛失しまうおそれを少なくできるが、必ずしも設ける必要はない。設ける場合には、ブリッジ２３の後方側に沿うように実施したり、ブリッジ２３の下方側に綺麗なアーチを描くようにして実施することにより、不自然な感じを無くして、逆にデザインのポイントとすることができる。
【００１３】
フード部材３１は、レンズ１１及びリム２２と目との間の隙間から、花粉などの異物が侵入することを防止するためのもので、顔に密着し易いように軟質の合成樹脂で実施することが望ましい。
【００１４】
このフード部材３１は、左右のリム２２の後方側に配位される左右の筒状部３２と、左右の筒状部３２同士を繋ぐための接続部３７を備えており、接続部３７はこの例ではブリッジ２３の後方側に配位されている。フード部材３１は、顔の形状に合わせて目頭側部分３３よりも目尻側部分３４を長くすることが望ましく、目頭側部分３３の前方側にフード側第１係合部３５が形成され、目尻側部分３４の前方側にフード側第２係合部３６が形成されている。フード側第１係合部３５は、前述のフレーム側第１係合部２７と係合するものであり、フード側第２係合部３６はフレーム側第２係合部２８と係合する。
【００１５】
ここで、フード側第１係合部３５は、前述のノーズパッド側係合部４５と同一の大きさ、同一の位置関係に設けられているため、フレーム側第１係合部２７に対して互換性があり、ノーズパッド４１とフード部材３１との交換を無理なく行うことができる。筒状部３２の外周面の目尻側部分３４には、パッド部３８が設けられている。このパッド部３８は、着用者の鼻に当接する面であり、図１のＡ−Ａ線に沿う断面の説明図である図４（Ａ）に示すように、前方側から後方側に（図４（Ａ）の矢印方向に）向かうに従って、筒状部３２の内側（中心側）に傾斜して伸びる。この外周面の内側への傾斜によって、ノーズパッドとして機能することができる。よって、ノーズパッド４１とフード部材３１とを交換しても、どちらの場合でも、良好な掛け心地を得ることができる。他方、図１のＢ−Ｂ線に沿う断面の説明図である図４（Ｂ）に示すように、筒状部３２の他の部位にあっては、筒状部３２の内面側が、前方側から後方側に（図４（Ｂ）の矢印方向に）向かうに従って、筒状部３２の外側に傾斜して伸びるものであり、これによって、着用時に肌に自然と密着する。
このように密着性が高まると、レンズが曇るという弊害が生ずるおそれがあるため、図３（Ａ）に示すように筒状部３２に適宜数の通気孔３９を設けておくことも望ましい。
【００１６】
さらに、この実施の形態では、ドライアイ対策用の眼鏡としても機能するように設計されたものであり、筒状部３２の内側に、加湿部５１が着脱可能に設けられている（図３（Ｂ）、図５及び図６参照）。
詳しくは、加湿部５１は、基部５２と蓋部５３を備え、この基部５２と蓋部５３との間に加湿部材５４が配位されている。基部５２には、蓋部５３に向けて突起５５が形成され、蓋部５３には、この突起５５が嵌入する嵌合孔５６と、加湿部材５４からの水分の蒸散を可能にする通気孔５７とが形成されている。加湿部材５４は織布や不織布や紙など、保水性と蒸散性を有するシート状体を採用し、この加湿部材５４に水を含ませて装着することによって、眼球に水分を補給して、ドライアイの発生を防止することができる。特に、この例では、左右別々の筒状部３２とレンズ１１とによって形成された狭い空間内に、加湿部材５４が配位されているため、効果的なドライアイ対策となり得る。この加湿部５１を設ける位置は、筒状部３２の目尻側部分３４が望ましく、この例では、目尻側部分３４に取付孔５８を設け、基部５２に設けた係合部５９を嵌入させることにて、着脱可能に取り付けているが、例えば、基部５２とフード部材３１とを一体に形成するなど、適宜変更して実施することができる。
【００１７】
以上、本願考案のフード付き眼鏡類は、一般の眼鏡の他、ファッション用サングラス、スポーツ用サングラス、スポーツ用ゴーグル、ドライアイ対策用眼鏡、花粉症対策用眼鏡、防塵用眼鏡、医療用眼鏡など、視野の確保と異物からの目の保護との双方の目的に利用されるものに適用することができる。レンズの個数は、左右のレンズが繋がった１眼のレンズであってよく、左右１枚ずつの２眼のレンズなど、複数枚のレンズを用いたものであってもよい。フレームは、レンズの周囲に配位されてこれを直接支持するリム等を備えればよく、智やテンプルやモダンに代えて、他の人頭への取付手段を採用してもよい。
【図面の簡単な説明】
【００１８】
【図１】本願考案の実施の形態に係る眼鏡であってフード部材を取り付けた状態を示し、（Ｂ）は同眼鏡であってノーズパッドを取り付けた状態を示す。
【図２】（Ａ）は同眼鏡のフレームの要部背面図であり、（Ｂ）は同眼鏡のノーズパッドの正面図であり、（Ｃ）は同ノーズパッドの側面図であり、（Ｄ）は同ノーズパッドの背面図である。
【図３】（Ａ）は同眼鏡のフード部材の正面図であり、（Ｂ）は同フード部材の背面図である。
【図４】（Ａ）は図１（Ａ）のＡ−Ａ線に沿う断面説明図であり、（Ｂ）は図１（Ａ）のＢ−Ｂに沿う断面説明図である。
【図５】図１（Ａ）のＣ−Ｃ線に沿う断面説明図である。
【図６】同眼鏡の加湿部を示すもので、（Ａ）は基部の正面図、（Ｂ）は加湿部材の正面図、（Ｃ）は蓋部の正面図である。
【符号の説明】
【００１９】
１１  レンズ
２１  フレーム
２２  リム
２３  ブリッジ
２７  フレーム側第１係合部
２８  フレーム側第２係合部
３１  フード部材
３２  筒状部
３３  目頭側部分
３４  目尻側部分
３５  フード側第１係合部
３６  フード側第２係合部
３７  接続部
３８  パッド部
３９  通気孔
４１  ノーズパッド
４２  ノーズパッド本体
４３  連結部
４５  ノーズパッド側係合部
５１  加湿部
５２  基部
５３  蓋部
５４  加湿部材
【図１】
0003152412.tif 000003
【図２】
0003152412.tif 000004
【図３】
0003152412.tif 000005
【図４】
0003152412.tif 000006
【図５】
0003152412.tif 000007
【図６】
0003152412.tif 000008